(57)【要約】【課題】遊技者への興趣を損なうことなく場内での音場雰囲気に応じて最適な効果音の発生源となる音響装置としての構成を備えた遊技機を提供する。【解決手段】効果音を発生させるための音響装置を備えた遊技機１において、上記音響装置は、スピーカ２２と該スピーカ２２の後方に設けられる共鳴部材２３とで構成され、前記共鳴部材２３は、前記スピーカ２２の後方空間での容積を調整可能な構成２４とされていることを特徴とする。【選択図】    図３
2004223069.tif 000002
【特許請求の範囲】
【請求項１】
効果音を発生させるための音響装置を備えた遊技機において、
上記音響装置は、スピーカと該スピーカの後方に設けられる共鳴部材とで構成され、
前記共鳴部材は、前記スピーカの後方空間での容積を調整可能な構成とされていることを特徴とする遊技機。
【請求項２】
箱型の筐体と、該筐体の前面に開閉自在に取り付けられる前面扉とを備える箱型遊技機に、効果音を発生させるための音響装置を備えた遊技機において、
上記音響装置は、スピーカと該スピーカの後段に取り付けられてスピーカの後方空間を密閉する共鳴部材とで構成され、かつ該音響装置は前面扉側に設けられ、
前記共鳴部材は、前記スピーカの裏側での容積を調整可能な構成とされていることを特徴とする遊技機。
【請求項３】
請求項１または２記載の遊技機において、
上記共鳴部材は、上記スピーカの後方に位置する空間部に対して着脱可能な仕切部材が設けられ、該仕切り部材の位置を変更若しくは取り除くことで初期状態での容積を変更できる構成とされていることを特徴とする遊技機。
【請求項４】
請求項１乃至３のうちの一つに記載の遊技機において、
上記共鳴部材は、上記スピーカの裏側に位置する容積変更可能な空間の一部に開口部を設けてスピーカとは別の放射音部を設置可能であることを特徴とする遊技機。
【請求項５】
請求項３記載の遊技機において、
上記仕切り部材は単数若しくは複数設置可能であることを特徴とする遊技機。
【発明の詳細な説明】
【０００１】
【発明の属する技術分野】
本発明は、パチンコ遊技機、スロットマシンあるいは雀球機さらにはパチスロマシンやゲームセンタで用いられるゲーム機などの遊技機に関し、さらに詳しくは箱型遊技機に用いられる音響構造に関する。
【０００２】
【従来の技術】
周知のように、遊技機、特に箱型遊技機の一つであるスロットマシンにおいては、スタートレバーあるいはスタートボタンを操作することにより複数個のリールを回転させ、ストップボタンを操作することで各リールの回転を順次停止させ、停止した際のリールの図柄の組み合わせによりメダルあるいは球を払い出す構成を用いたものがある。
【０００３】
このようなスロットマシンでは、ゲーム過程において入賞や特別入賞などに応じてメダルや球の配当数が異なるようにしてあることから、入賞あるいは特別入賞などの成立時やメダルあるいは球の配当時に適時効果音を発するようにして遊技者の興趣を高めるようにしてある場合がある。
【０００４】
スロットマシンは、内部にリールを始めとして各種の駆動部およびこれら駆動部の制御装置を収容可能な中空の筐体本体およびこれに開閉自在に支持されて遊技操作面を有する前面扉とで機体が構成されている。
このような機体において効果音を発するためのスピーカは、概ね、前面扉におけるメタルあるいは球の払い出し口近傍さらには、遊技者の耳に近い位置に相当する前面扉の上部近傍にそれぞれスピーカ単体で取り付けられていることが多い。（例えば、特許文献１）。
【０００５】
【特許文献１】
特開２００１−２７６３０８号公報（段落「００１０」、「００１１」欄、図２）
【０００６】
【発明が解決しようとする課題】
効果音はスロットマシンが設置される遊技場の雰囲気音に邪魔されることなく遊技者に直接認識されることが望ましいが、遊技者周辺のスロットマシンからも同じように効果音が発せられ、また遊技場での場内放送などの影響により遊技者への認識度が低い場合がある。つまり、遊技者周辺での騒音などによりスロットマシンからの効果音の出力が小さく感じられることがある。このため、ゲーム過程において入賞あるいは特別入賞の際の感動や入賞に至る緊迫感を高める興趣性が遊技者にとって得にくくなる場合がある。
遊技者への効果音は常に強くした方が望ましいとは限らず、その効果音の大きさが隣り合う遊技者の集中力の妨げになったり、場内で違和感を与える場合がある。また、遊技場によっては、パチンコ球のような賞球の循環機がスロットマシンの近くに設置されていることもあり、この場合には、循環機から発生する音と効果音とが干渉して効果音が聞こえにくい場合がある。
【０００７】
一方、前面扉に設けられるスピーカは、前面扉に形成されたラス穴やスリット穴の裏側に直接取り付けられることが多い。このため、ラス穴やスリット穴などスロットマシンの内部が外部と連通している箇所においては、外部から棒状部材などを差し込むことによってスピーカのコーン紙を破き、内部部品への不正アクセスを行う事例が報告されている。この不正操作が行われるとメタルあるいは球の払い出し機構が容易に操作されてしまうこともあり、不当な払い出しが行われる虞がある。
【０００８】
本発明の目的は、上記従来の遊技機、特に音響装置として用いられるスピーカの設置構造における問題に鑑み、遊技者への興趣を損なうことなく場内での音場雰囲気に応じて最適な効果音の発生源となる音響装置としての構成を備えた遊技機を提供することにある。
【０００９】
【課題を解決するための手段】
請求項１記載の発明は、効果音を発生させるための音響装置を備えた遊技機において、上記音響装置は、スピーカと該スピーカの後方に設けられる共鳴部材とで構成され、前記共鳴部材は、前記スピーカの後方空間での容積を調整可能な構成とされていることを特徴としている。
本発明では、音響装置に用いられる共鳴部材がスピーカの裏側での容積を調整することができる構成とされているので、共鳴空間内の容積変化による発音周波数帯域を所望する帯域の音を強調あるいは弱めるように設定できる。これにより、効果音の発音状態を興趣性に富んだあるいは遊戯者の好みに適応した状態に設定することができる。
【００１０】
請求項２記載の発明は、箱型の筐体と、該筐体の前面に開閉自在に取り付けられる前面扉とを備える箱型遊技機に、効果音を発生させるための音響装置を備えた遊技機において、上記音響装置は、スピーカと該スピーカの後段に取り付けられてスピーカの後方空間を密閉する共鳴部材とで構成され、かつ該音響装置は前面扉側に設けられ、前記共鳴部材は、前記スピーカの裏側での容積を調整可能な構成とされていることを特徴としている。
本発明では、箱型遊技機に用いられる音響装置が前面扉側に設けられた共鳴部材を有し、その共鳴部材がスピーカの後方空間を密閉すると共にその空間内の容積を調整できるようになっているので、前面扉側からスピーカを突き破って進入しようとする異物を共鳴部材で阻止することができ、しかも、共鳴部材内の容積を変更することで効果音の発音状態を変更することができる。
【００１１】
請求項３記載の発明は、請求項１または２記載の発明に加えて、上記共鳴部材は、上記スピーカの後方に位置する空間部に対して着脱可能な仕切部材が設けられ、該仕切り部材の位置を変更若しくは取り除くことで初期状態での容積を変更できる構成とされていることを特徴としている。
本発明では、低音域の発音状態を電気的に行うのでなく仕切り部材の着脱という簡単な構成により適正化することができる。
【００１２】
請求項４記載の発明は、請求項１乃至３のうちの一つに記載の発明に加えて、上記共鳴部材は、上記スピーカの後方空間部の一部に開口部を設けてスピーカとは別の放射音部を設置可能であることを特徴としている。
本発明では、スピーカの後方に位置する密閉空間で構成された共鳴部材の内部空間に開口を設けてスピーカとは別の放射部を設けることができるので、共鳴部材を位相反転形（バスレフ形）の構造に変更することができ、容積変更可能な空間での発音状態に加えて、共振させた発音を生じさせて低音域での音が生かされるようにできると共に音量の増加もできる。
【００１３】
請求項５記載の発明は、請求項３記載の発明に加えて、上記仕切り部材は単数若しくは複数設置可能であることを特徴としている。
本発明では、仕切り部材が単数あるいは複数設置可能であるので、発音させる低音域や音量を細分調整することができる。
【００１４】
【発明の実施の形態】
以下、図により本発明の実施の形態を説明する。なお、本実施形態は、メダルの払い出しを行う構成を備えたスロットマシンを対象として説明する。
図１は、本発明の実施形態に係るスロットマシン１の外観図であり、同図において、スロットマシン１は、内部に各種制御板等が配置されている中空の筐体１Ａと、筐体１Ａに対して開閉自在に支持されて前面が遊技操作面として構成されている前面扉１Ｂとで機体が構成されている。
図２は、機体の筐体１Ａおよび前面扉１Ｂを開放した状態を模式的に示した図であり、同図において、筐体１Ａ側には、高さ方向ほぼ中央部にリールブロック２が設けられ、下段位置には多数枚のメダルを貯蔵可能なホッパー３Ａを有する払い出し機構３が配置され、上段位置には主制御用の回路基板が収納された回路ブロック４が配置されている。
前面扉１Ｂには、筐体１Ａ側のリールユニット２と対向する位置に、リールを外部から透視させる開口からなる表示部５が設けられ、下段位置には投入されたメダルをホッパー３Ａに導入する通路および払い出されるメダルをメダル放出口に導く払い出し路とを有するメダル通路６および、上段位置には演出画面、ランプ及び効果音などの演出音を出力するサブ基板８が設けられている。
【００１５】
図１において前面扉１Ｂの前面には、リールの前面を覆ってリールを外部から透視できる正面パネル９と下面パネル１０とが高さ中央および下段位置に設けられ、上段位置にはディスプレイをなす液晶ユニット１８が装備されている上面パネル１１が設けられている。
下面パネル１０の上部には、精算スイッチ１２，リール始動レバー１３，リール停止スイッチ１４，メダル返却ボタン１５およびメダル投入口１６がそれぞれ設けてある。
下面パネル１０の下部には、メダルが払い出されるメダル放出口１７が設けられ、上面パネル１１には、前述した液晶ユニット１８が設けられている。なお、図１において符号１９はメダル貯留残留表示部を、符号２０Ａは入賞役物の作動回数表示部を、符号２０Ｂは獲得メダル枚数表示部をそれぞれ示している。
【００１６】
スロットマシン１に用いられるスピーカは、効果音などの演出音を発生させるための音響装置の一部材として用いられ、図２に示すように、前面扉１Ｂにおける上部左右の２カ所およびメダル放出近傍の１カ所にそれぞれ音響装置の他の部材として用いられる共鳴部材と共に取り付けられている。
【００１７】
音響装置の一部材として用いられるスピーカ２１は、本実施形態においては高音域の発音用であり、メダル放出口近傍に配置されているスピーカ２２は低温域の発音用である。
本実施形態では、低音域の発音用スピーカの構成に特徴があり、その詳細が図３に示されている。なお、上述した特徴部分は、低音域の発音用スピーカだけでなく、高音域用のスピーカに適用することも可能である。
図３において低音域用スピーカ２２は、音響装置の他の部材である共鳴部材２３とともに前面扉１Ｂに取り付けられている。
共鳴部材２３は、前面扉１Ｂに取り付けられる正面壁を含む上下左右および背面を囲んでスピーカ２２の後方空間を密閉する筐体２３Ａで構成されている。
筐体２３Ａは通常樹脂等で構成されている。更に、最近、熱を有したドリル状の道具を用いて筺体を構成している樹脂を融解し、内部に不正アクセスするための穴を開ける事例が報告されている。このため、前記不正を防止するため筺体２３Ａを構成する材質を熱に強いフェノール樹脂あるいは板金製で形成すればなお良い。
【００１８】
共鳴部材２３を構成する筐体２３Ａの内部においてスピーカ２２の後方に位置する空間部２３Ｂの容積が変更できるようになっており、このためスピーカ２２後方の空間部２３Ｂには、図３において２枚示されているように、複数若しくは単数の板状部材からなる仕切り部材２４が設けられている。
【００１９】
仕切り部材２４は、予め筐体２３Ａの側壁の一方に形成された挿通部２３Ｃから内部に差し込まれて固定されており、抜き差しできることで筐体２３Ａに対して着脱できるようになっている。
筐体２３Ａの内面において仕切り部材２４の挿入方向前端およびその両側端と対向する位置には、仕切り部材２４の挿入方向前端およびその両側端がそれぞれ嵌合可能な凹部２３Ｄが設けられている。凹部２３Ｄは、仕切り部材２４の端部を嵌合させた状態で保持することができ、これにより、仕切り部材２４にスピーカ２２からの背面音が伝搬した場合でも安定した状態で空間部２３Ｂ内で定置することができるようになっている。
仕切り部材２４は、スロットマシン１が設置される遊技場での音響効果の条件に応じて選択的に抜き差しすることができ、これに応じたスピーカ２２の裏側の空間部２３Ｂでの容積が初期状態から変更できる。この場合の初期状態とは、仕切り部材２４が全て差し込まれている状態あるいは全て抜き取られている状態のいずれかである。
【００２０】
図３において、筐体２３Ａには、側壁の一方に仕切り部材２４の抜き差し口２３Ｃが設けられ、側壁の他方には図示しないが、仕切り部材２４の端部の保持部が設けられている。また、必要に応じて、筐体２３Ｂ内には、図４において符号２５で示すように、仕切り部材２４が抜き差しされる際の摺動位置に仕切部材２４の厚み方向両側縁を嵌合させることができるチャンネル形状のガイド部材を設けて仕切り部材２４の抜き差し操作の簡便性と撓み変形を防止するようにしても良い。ガイド部材２５は、空間部２３Ｂ内での突出高さが音域に悪影響を与えない程度とされている。
【００２１】
本実施形態は以上のような構成において、スロットルマシン１が設置される遊技場の音場環境に応じて仕切り部材２４が抜き差しされて空間部２３Ｂの容積が変更される。また仕切り板２４を誘導、および嵌合させる凹部２３Ｄを設けることによって、仕切り部材２４を載置させることができるアングル片などを用いた構成と違って空間部２３Ｂの密閉性をより高めることができる。
仕切り部材２４が全て残されたままである場合には、スピーカ２２の後方に位置する空間部２３Ｂの容積が最も小さく、全ての仕切り部材２４が抜き取られると空間部２３Ｂの容積が最大となり、スピーカ２２に最も近い位置の仕切り部材２４が抜き取られると空間部２３Ｂの容積が上述した場合の中間程度となる。
【００２２】
空間部２３Ｂの容積変化は、音の周波数帯域を変えることができ、本実施形態では２枚の仕切り部材２４を設けることで、最小容積の場合には箱鳴りが少ないために高音域が強くなり、最大容積の場合には箱鳴りが多くなることで低音域が強くなり、中間容積の場合には中音域が強くなる。
特に、低音域を強調したい場合には、小さな出力のスピーカ２２を用いた場合でも容積拡大によって出力効果が高められる。
このように、遊技場の音場環境に応じて発音される音域を細分化して適宜変更することができるので、例えば、遊技者の好みなどの要望により音域の発音状態を変更することもできる。なお、容積変更の際の仕切り部材２４の抜き差し位置と音域との関係をオペレータが識別しやすくするために共鳴部材２３の筐体側壁において各仕切り部材２４の挿通部近傍に「高音」、「低音」、「中音」などの表示を付けておくようにしても良い
【００２３】
本実施形態によれば、仕切り部材２４を備えた筐体２３Ａで構成される共鳴部材２３は、筐体２３Ａを取り付けるだけで済むので、前面扉１Ｂに取り付けられる場合、あるいは、機体の筐体１Ａ側Ｂに取り付けられる場合にはそれらの構造変更をしなくても後付けすることができる。これにより、機種変更の際に音響効果に係る部材をその都度、新規変更しなくても済むことになり、製造コストの低減が図れる。
さらに、スピーカ２２は、共鳴部材２３の筐体２３Ａ内に納められているので、仮に、図３において符号１Ｂ２で示されているラス穴を通して外部から棒状部材が突き刺されてスピーカ２２のコーンが突き破られたとしても筐体２３Ａに突き当たることで機体内部への進入が阻まれることになり、不正行為を阻止することができる。
【００２４】
次の本発明の別の実施形態について説明する。
図３において、共鳴部材２３の空間部２３Ｂには、図示しない蓋部材によって通常は閉塞されている開口部（便宜上、図３において符号Ｐで示す）が設けられている。
開口部Ｐには、空間部２３Ｂに連通する放射音部としての気柱管部材２６が連結可能に設けられるようになっている。
気柱管部材２６は、空間部２３Ｂに連通することで位相反転部（バスレフ部）を構成することができ、前面扉１Ｂに形成されている開口に端部が連通されている。
このような構成においては、スピーカ２２の背面で生起される音の位相を反転して前面からの音に合成することができるので、低音域の発音効率を上げて低音を強調させることができる。
【００２５】
以上のような実施形態においては、音の周波数帯域を共鳴部材２３において適宜変更することができるので、演出効果音の種類、例えば、クラシック系、ジャズ系あるいはその他の効果音に整合させた雰囲気の音響効果を設定することができる。なお、共鳴部材２３は、前面扉１Ｂの開閉時に筐体１Ａの一部と干渉するようなサイズである場合には、前面扉１Ｂ側に限らず、機体１Ａ側に設けることも可能である。
なお、本実施形態に例示した遊技機はスロットマシンを例に取り上げたが、これに限らずその他の箱型遊技機、または、パチンコ遊技機に使用してもよい。
【００２６】
【発明の効果】
請求項１記載の発明によれば、音響装置に用いられる共鳴部材がスピーカの裏側での容積を調整することができる構成とされているので、共鳴空間内の容積変化による発音周波数帯域を所望する帯域の音を強調あるいは弱めるように設定できる。これにより、効果音の発音状態を興趣性に富んだあるいは遊戯者の好みに適応した状態に設定することができる。
【００２７】
請求項２記載の発明によれば、箱型遊技機に用いられる音響装置が前面扉側に設けられた共鳴部材を有し、その共鳴部材がスピーカの後方空間を密閉すると共にその空間内の容積を調整できるようになっているので、前面扉側からスピーカを突き破って進入しようとする異物を共鳴部材で阻止することができ、しかも、共鳴部材内の容積を変更することで効果音の発音状態を変更することができる。
この結果、外部からの異物進入を防止して不正な払い出し行為を未然に防ぐことが可能となると共に、遊戯者にとって最適な効果音の発音状態を設定することが可能となる。
【００２８】
請求項３記載の発明によれば、低音域の発音状態を電気的に行うのでなく仕切り部材の着脱という簡単な構成により適正化することが可能となる。
【００２９】
請求項４記載の発明によれば、スピーカの後方に位置する密閉空間で構成された共鳴部材の内部空間に開口を設けてスピーカとは別の放射部を設けることができるので、共鳴部材を位相反転形（バスレフ形）の構造に変更することができ、容積変更可能な空間での発音状態に加えて、共振させた発音を生じさせて低音域での音が生かされるようにできると共に音量の増加もできる。
【００３０】
請求項５記載の発明によれば、仕切り部材が単数あるいは複数設置可能であるので、発音させる低音域や音量を細分調整することができる。
【図面の簡単な説明】
【図１】本発明の実施形態に係るスロットマシンの外観図である。
【図２】図１に示したスロットマシンの機体を開放した状態を示す図である。
【図３】本発明の実施形態に係るスロットマシンの要部構成である共鳴構造部を説明するための断面図である。
【図４】図３中、符号（Ａ）、（Ｂ）で示す方向での部分的な断面を纏めて示した共鳴構造部の正面図である。
【符号の説明】
１          スロットマシン
１Ａ        筐体
１Ｂ        前面扉
２２        スピーカ
２３        共鳴部材
２３Ａ      共鳴部材を構成する筐体
２３Ｂ      スピーカの裏側に位置する空間部
２４        仕切り部材
【図１】
2004223069.tif 000003
【図２】
2004223069.tif 000004
【図３】
2004223069.tif 000005
【図４】
2004223069.tif 000006